(57)【要約】      （修正有）【課題】少なくとも円筒形状を一部に有する物品を挿入するための、シートを重ねた袋状の簡易な包装体であって、円筒状の主物品を挿入しても、隅部が潰れて主物品の外形から突出することがない、自動販売機で扱うのに好適な包装体を提供する。【解決手段】第１シート部１と、第１シート部に重ねる第２シート部２とを有し、第１シート部および第２シート部とは、互いに両側の長辺を連結し、第１シート部と第２シート部との間に少なくとも一部に円筒形状を有する主物品５０を副物品５１とともに保持する包装体であって、第１シート部および第２シート部の一方の短辺には、短辺より短い幅で連続し、折り畳まれた状態で、両者を連結するブリッジ部３を有し、第２シート部の他方の短辺には、短辺より短い幅で所定の長さ延出し、折り返すことで第１シートに接着可能な接着部５が形成された封止タブ部４を有する。【選択図】図３
0003212906.tif 000002
【実用新案登録請求の範囲】
【請求項１】
長方形の第１シート部と、前記第１シートに重ねる第２シート部とを有し、前記第１シート部および第２シート部とは、互いに両側の長辺を連結し、前記第１シートと前記第２シートとの間に少なくとも一部に円筒形状を有する主物品を副物品とともに保持する包装体であって、
第１シート部および第２シート部の一方の短辺には、前記短辺より短い幅で連続し、折り畳まれた状態で、両者を連結するブリッジ部を有し、第２シート部の他方の短辺には、該短辺より短い幅で所定の長さ延出し、折り返すことで前記第１シートに接着可能な接着部が形成された封止タブ部を有することを特徴とする包装体。
【請求項２】
請求項１記載の包装体であって、前記第１シート及び第２シートの両側の長辺を押圧し、前記封止タブ部が幅方向に湾曲することで、前記封止タブ部の表面が前記主物品の挿入ガイドとして機能することを特徴とする包装体。
【請求項３】
請求項１または２記載の包装体であって、前記第１シート及び前記第２シートの長さは、前記主物品の長さより長く、前記主物品を前記包装体に挿入した場合、前記封止タブ部を有する前記短辺と前記主物品の天面との間に、前記副物品を保持できる空間を形成することを特徴とする包装体。
【請求項４】
請求項１乃至３記載のいずれか記載の包装体であって、前記商品を前記包装体に挿入することで、折り畳まれた前記ブリッジ部を展開すると、略円形となることを特徴とする包装体。
【請求項５】
請求項1乃至４のいずれか記載の包装体であって、前記第１シート又は前記第２シートのいずれか一方には、包装開封用のミシン目を形成したことを特徴とする包装体。
【請求項６】
請求項１乃至４のいずれか記載の包装体であって、前記封止タブ部には、包装開封用のミシン目を形成したことを特徴とする包装体。
【請求項７】
請求項５または６記載の包装体であって、前記第１シート又は前記第２シートにおいて、前記ミシン目の少なくとも一端側の前記短辺には、前記ミシン目に切断力を円滑に導くための切欠きが形成されていることを特徴とする包装体。
【請求項８】
請求項１乃至７のいずれか記載の包装体であって、前記封止タブ部は、前記第２シートの前記短辺との連続部に向かって幅広となるテーパ形状を有することを特徴とする包装体。
【請求項９】
請求項１乃至８のいずれか記載の包装体であって、前記第１シート、前記第２シート、前記ブリッジ部、前記封止タブ部は一枚の可撓性のあるフィルム状シートから裁断されることを特徴とする包装体。
【請求項１０】
請求項９記載の包装体であって、前記シートは透明部分と非透明部分を有することを特徴とする包装体。
【請求項１１】
請求項１乃至10のいずれか記載の包装体であって、前記主物品は飲料缶であり、前記副物品は販促品であることを特徴とする包装体。
【請求項１２】
請求項１乃至11のいずれか記載の包装体であって、前記主物品は食品用の容器であり、前記副物品は前記食品に使用する調味剤容器であることを特徴とする包装体。
【考案の詳細な説明】
【技術分野】
【０００１】
本考案は、主物品と他の副物品とを内部に保持して一体に封入する包装体に関する。
【背景技術】
【０００２】
近年、コーヒーやジュースなどの飲料缶の一端に、販売促進用の景品を入れた容器を取り付け、販売することが行われている。
【先行技術文献】
【特許文献】
【０００３】
【特許文献１】特開2004-99130号
【特許文献２】特開2002-179096号
【０００４】
特に、自動販売機で販売する飲料缶に景品を取り付ける際には、特許文献１に示すように、飲料缶と同径の円筒形容器に景品を封入し、これを飲料缶の一端に取り付ける発明、考案が数多く提案されている。しかしながら、近年、製造コスト及び環境保護の観点から、景品の取り出し後、すぐに廃棄される容器として過剰な品質を有する容器が望まれなくなっている。
【考案の概要】
【考案が解決しようとする課題】
【０００５】
簡易包装の観点から、特許文献２に示すような、飲料缶に樹脂製の包装体を貼着もしくは係止する方法も提案されているが、このような樹脂製の包装体を自動販売機で販売すると、内部で包装体が飲料缶の搬送路内部で外れてしまったり、また、ジャムが生じるなどして、故障の原因を生じさせるものであった。
【０００６】
また、図６に示すように、さらに単純に表裏２枚のシートを張り合わせた包装袋100に飲料缶50と景品51を封入することも考えられるが、包装袋100に円筒体の飲料缶を封入すると、隅部101が潰れて、飲料缶51の外形から突出し、飲料缶の円筒体形状に合わせて搬送路が設計されている自動販売機で使用すると、ジャムを生じさせる可能性があった。
【０００７】
そこで、本考案の目的は、飲料缶のような円筒状の主物品を他の副物品とともに包装する際に、隅部が潰れて内側に封入する物品の外形から突出することのない、簡易なシート状の包装容器を提供することにある。
【課題を解決するための手段】
【０００８】
上記目的を達成するため、長方形の第１シート部と、前記第１シートに重ねる第２シート部とを有し、前記第１シート部および第２シート部とは、互いに両側の長辺を連結し、前記第１シートと前記第２シートとの間に少なくとも一部に円筒形状を有する主物品を副物品とともに保持する包装体であって、第１シート部および第２シート部の一方の短辺には、前記短辺より短い幅で連続し、折り畳まれた状態で、両者を連結するブリッジ部を有し、第２シート部の他方の短辺には、該短辺より短い幅で所定の長さ延出し、折り返すことで前記第１シートに接着可能な接着部が形成された封止タブ部を有することを特徴とする。
【考案の効果】
【０００９】
本考案の包装体によれば、第１シート、第２シート、折り畳まれたブリッジ部、封止タブ部を有する簡易な包装体を提供することができる。また、ブリッジ部及び封止タブ部は第１シート及び第２シートの短辺より短い幅で連結または突出するため、円筒状の主物品を挿入しても、隅部が潰れて主物品の外形から突出することがない、自動販売機で扱うに好適な包装体を提供することができる。
【００１０】
また、第１シート、第２シートの両側の長辺を押圧することで、封止タブ部を幅方向に湾曲させる構造とすれば、この封止タブ部が物品を第１シート、第２シート内に挿入する際のガイドとして機能させることができ、包装作業の効率に優れる包装体を提供することができる。
【図面の簡単な説明】
【００１１】
【図１】本考案の実施形態における包装体の平面図及び裏面図。
【図２】同包装体の展開図。
【図３】同包装体の使用方法を示す説明図。
【図４】同包装体の主物品及び副物品の包装状態を示す説明図。
【図５】本考案の包装体のバリエーションを示す説明図。
【図６】従来の包装体の使用状態を示す説明図である。
【考案を実施するための形態】
【００１２】
本考案の第一実施形態を図１乃至図３を用いて説明する。図１(ａ)は、本実施形態の包装体の平面図であり、同図(ｂ)は、同包装体の裏面図である。また、図２は製造過程において、本実施形態の第１シート部及び第２シート部を開いた状態の展開図、図３は、本実施形態の包装体に作業者が主物品たる飲料缶と、副物品たる景品を封入する一連の作業の説明図である。
【００１３】
図１(ａ)(ｂ)に示すように、包装体たる包装袋Ａは、薄いビニルシートを重ねた袋体であって、使用前は複数を重ねて束にして容積を最小限として保存できるものである。包装袋Ａは、それぞれ長方形を有する第１シート部１と第２シート部２を重ねた状態で、両シート部１、２の幅方向両端の長辺１Ａ(１Ｂ)、２Ａ(２Ｂ)を山折りに連結している。これら長辺１Ａ(１Ｂ)、２Ａ(２Ｂ)の長さは、いずれも包装袋Ａに挿入を予定する物品の高さよりも長く設定される。なお、包装袋Ａの素材は、ビニルシートに限られるものではなく、ＰＥＴ／ＯＰＰシートなど、その他のフィルム状シートを選択できることはもちろんである。
【００１４】
また、長さ方向下端の短辺１Ｄ、２Ｄには、それぞれブリッジ部３の表面３ａ、裏面３ｂが連続しており、中途部の折目３ｃで表裏を連結している。ブリッジ部３は折目３ｃの幅が最大になるように膨らんでおり、後述するように、折り畳んだブリッジ部３が展開した場合は、略円形となる。
【００１５】
また、第２シート２の上辺２Ｃから上方に封止タブ部４が所定長さ延伸している。この封止タブ部４は長方形のシートであって、その表面４ａ側の先端付近には、接着部たる接着シート５が取り付けられており、裏面４ｂはフラットである。
【００１６】
ここで、第１シート部１、第２シート部２下端の短辺１Ｄ、２Ｄとの長さＸ１と、ブリッジ部３の第１シート部１、第２シート部２に対する連続部３ｄの幅Ｘ２との比較を行うと、後者の幅Ｘ２は前者の長さＸ１より短くなっており、連続部３ｄの両側に段差部が生じる。
【００１７】
また、第２シート部２上端の短辺２Ｃの長さＹ１と、封止タブ部４の第２シート部２に対する連続部４ｃの幅Ｙ２との比較を行うと、後者の幅Ｙ２は前者の長さＹ１より短くなっており、連続部４ｃの両側には同様に段差部が生じる。
【００１８】
第１シート部１及び第２シート部２の表面には、一方の長辺１Ｂ、２Ｂと並行に、切断用のミシン目６、６が形成されている。また、このミシン目６の上端は、上端の短辺１Ｃ、２Ｃからの切欠き７、７が形成されている。この切欠き７により、ミシン目６、６の間の帯体の上端が独立し、ユーザがこの部分を摘まんで引っ張ると、その切断力を円滑にミシン目６，６に加えることができる構造となっている。
【００１９】
図２を用いて、包装袋Ａの製造方法を説明する。同図に示すように、上述した第１シート部１、第２シート部２、ブリッジ部３、封止タブ部４は、一枚の薄手の可撓性を有するフィルム状シートを裁断して形成される。すなわち、第１シート部１と第２シート部２は、ブリッジ３を介して接続され、ブリッジ３の中央の折目３ｃが包装袋Ａの表裏の連結部となっている。また、封止タブ部４の延伸長さは、接着シート５までの長さが、包装袋Ａが円筒状に膨らんだ状態におけるその直径以上になるよう設定される。
【００２０】
この状態で、ブリッジ部３の折目３ｃを手前側に折り畳んで、第１シート部１と第２シート部２を重ね、重なった長辺１Ａ、２Ａの縁部１ａ、２ａと、長辺１Ｂ、２Ｂの縁部１ｂ、 ２ｂをそれぞれ溶着し、あるいは型の切り出しの際に溶断して溶着することで、袋形状を有する包装袋Ａを製造するものである。
【００２１】
なお、同図に示すように、接着シート５は帯状の粘着面５ａにカバーシート５ｂを被せたものであって、使用する際にはカバーシート５ｂを剥がし、粘着面５ａを露出させて、対象物に貼着する。
【００２２】
図３を用いて、本実施形態の包装袋Ａの使用手順を説明する。まず、図３(ａ)は包装袋Ａの準備状態を示す図である。同図に示すように、ユーザは、片方の手Ｈに包装袋Ａを持つ。この状態では、包装袋Ａは単に薄いフィルム状シートが二枚重ねになった状態であるため、腰が無く撓んでしまうが、親指を包装袋Ａの一方の長辺１Ａ(２Ａ)に置き、また、中指から薬指で他方の長辺１Ｂ(２Ｂ)に置くようにして、掌で包装袋Ａを裏側から支えるように掴んで安定させる。
【００２３】
次に、図３(ｂ)は、包装袋Ａを膨らませる状態を示す図である。同図に示すように、ユーザは他方の手(図示せず)で、第１シート部１と第２シート部２との間を開くようにしながら、両側の長辺１Ａ(１Ｂ)、２Ａ(２Ｂ)を押圧し、包装袋Ａを袋状にしていく。これにより、封止タブ部４も第２シート部２とともに幅方向に湾曲し、封止タブ部４にコシが生じるために後ろへの撓みが消え、第２シート部と直線的に連続するように起立する。この際、ユーザの人差し指Ｆが封止タブ部４の裏面から支えることで、なおしっかりとその撓みをなくすことができる。
【００２４】
図３(ｃ)は包装袋Ａへの飲料缶50の挿入作業を示す図である。同図に示すように、ユーザは他方の手(図示せず)で飲料缶50を持ち、膨らんだ包装袋Ａに挿入する。この際、ユーザは、飲料缶50の下端を封止タブ部４の表面４ａに接触させ、その上を滑らせながら第１シート部１と第２シート部２との間に挿入する。すなわち、封止タブ部４の表面４ｂは、飲料缶50のガイドとして機能し、簡単に飲料缶50を包装袋Ａ内に挿入することができる。
【００２５】
包装袋Ａに円筒状の飲料缶50が挿入されるにつれ、包装袋Ａの下端においては、第１シート部１と第２シート部２が円筒状に膨らみ、ブリッジ部３が円形に展開される。この際、上述したように、ブリッジ部３の連続部３ｄ両側の段差部により、包装袋Ａの隅部が潰れることがなく、飲料缶51の外形からはみ出すことはない。
【００２６】
図３(ｄ)は、飲料缶50が包装袋Ａに全て挿入された状態を示す図である。上述したように、包装袋Ａの長辺１Ａ(２Ａ)、１Ｂ(２Ｂ)の長さＺ１は、飲料缶50の高さＺ２より長いため、飲料缶50を包装袋Ａの下端まで挿入すると、包装袋Ａの内部で飲料缶50の上方には、空間Ｓが形成される。そして、この空間Ｓには、景品51を挿入する。
【００２７】
最後に図３(ｅ)は、封止タブ部４により、包装袋Ａの上端を封止した状態を示す図である。封止タブ部４を折り返して、その表面４ａを第１シート部１Ａに重ねる。この際、上述した接着シート５のカバーシート５ｂ(図２参照)を予め剥がしておき、粘着面５を第１シート部に押し付けることで、両者を接着する。この際、封止タブ部４の連続部４ｃ(図１(ｂ)参照)の両側には、段差部ができているため、封止タブ部４を折り返しても包装袋４に隅部が生ぜず、もって、包装袋４が飲料缶50の外形からはみ出さない。
【００２８】
図４を用いて、主物品及び副物品を包装袋Ａに挿入した状態を説明する。図４(ａ)は、飲料缶50と景品51を封入した状態を示す斜視図であり、図４(ｂ)は、食品容器であるコーヒーゼリー容器60と調味剤容器であるクリームカップ61を封入した状態を示す斜視図である。
【００２９】
図４(ａ)に示すように、飲料缶50を挿入した場合は、その上部に景品51が載り、その上方を封止タブ部４が覆う状態となる。この際、封止タブ部４の両側と第１シート部１、第２シート部２との間には隙間が生じるが、この隙間から景品51が脱落しないように、封止タブ部４の幅が設定される。
【００３０】
また、第１シート部１、第２シート部２の手前側の長辺１Ａ(２Ａ)に並行して、ミシン目６、６が形成されるが、これらミシン目６、６が切り取り帯として機能し、ユーザが切欠き７、７間の部分を摘まんで引っ張ることで、簡単に包装袋Ａを開封することができる。
【００３１】
図４(ｂ)に示すように、コーヒーゼリー容器60と、その上に載置するようにクリームカップ61を載せた状態で封入することができる。クリームカップ61は、本体61ａが円筒形状を有し、台座61ｂが円形断面を有しているが、両者間に括れ部61ｃを有している。このように、物品の一部が包装袋４の径に合った円筒形状を有すれば、本実施形態の包装袋Ａを用いることができ、包装袋Ａの用途は単純な円筒形状を有する飲料缶50に限られない。
＜包装袋形状のバリエーション＞
【００３２】
図５に、本考案の包装袋のバリエーションを示す。上記実施形態と同一の部位は、同じ符号をつけて説明を省略する。
【００３３】
図５(ａ)に示す包装袋Ｂは、封止タブ部14の、第２シート部２への連続部14ｃがテーパ状になるよう、幅広に形成されている。このテーパ状の連続部14ｃは、第１シート部１、第２シート部２を押圧した際に(図３(ｂ)参照)、封止タブ部14をより湾曲しやすくするためのものである。また、包装袋Ｂでは、封止タブ部14を幅方向に横断するミシン目８が形成されており、包装袋Ｂを開封するときに、封止タブ部14を切断して行うこともできる構造となっている。
【００３４】
図５(ｂ)に示す包装袋Ｃは、封止タブ部24の中央を円形形状とし、物品を封入し、封止タブ部24で覆った際の隙間を小さくすることを目的としている。
【００３５】
図５(ｃ)に示す包装袋Ｄは、第１シート部１、第２シート部２の両側の長辺１Ａ(１Ｂ)、２Ａ(２Ｂ)のそれぞれに半円形の切欠き９、９を形成している。この切欠き９は、ユーザが第１シート部１、第２シート部２を押圧する際に(図３(ｂ)参照)、指の位置決めを容易に行えるようにするものである。
【００３６】
図５(ｄ)に示す包装袋Ｅは、ブリッジ部13を円形ではなく、単純な矩形に形成したものである。ブリッジ部３は円筒形の物品を封入した際に下部で物品を受ける機能を有すればよく、かかる単純な形状であってもよい。
【００３７】
図５(ｅ)に示す包装袋Ｆは、全体を透明Ｆ１とし、景品が封入される部分のみ非透明領域Ｆ２としたものである。包装袋Ｆのフィルム状シート表面には印刷等により模様を付することもできるが、透明なフィルム状シートを使用すれば、印刷により透明領域Ｆ１、非透明領域Ｆ２を混在させて、景品の視認、非視認を選択することができる。
【００３８】
なお、以上説明した実施形態及びバリエーションでは、第１シート部１、第２シート部２の長辺１Ａ(１Ｂ)、２Ａ(２Ｂ)の長さを飲料缶51の高さより長くして、景品51を入れる空間を飲料缶51の上方に形成しているが、景品等を封入する空間はこれに限られない。
【００３９】
他に、両者を同じ長さとし、第１シート部１、第２シート部２の短辺１Ｃ(２Ｃ)、１Ｄ(２Ｄ)の長さを飲料缶51の円形断面の周長より長くして、飲料缶51の外周面と第１シート部１、第２シート部２の内面との間に景品等を載置する空間を形成してもよい。景品等がタオルなどのシート状のものである場合、飲料缶51の外周面に巻き付けることで、この空間に収めることができる。
【符号の説明】
【００４０】
Ａ、Ｂ、Ｃ、Ｄ、Ｅ、Ｆ    包装袋
１    第１シート部
２    第２シート部
３、13    ブリッジ部
４、14    封止タブ部
５    接着シート(接着部)
６、８    ミシン目
７    切欠き
51    飲料缶(主物品)
52    景品(副物品)
60    コーヒーゼリー容器(食品容器・主物品)
61    クリームカップ(調味剤容器・副物品)
【図１】
0003212906.tif 000003
【図２】
0003212906.tif 000004
【図３】
0003212906.tif 000005
【図４】
0003212906.tif 000006
【図５】
0003212906.tif 000007
【図６】
0003212906.tif 000008